(57)【要約】【課題】  ビデオカメラのフロントキャビネットに設けたフラッシュ機構の両側部にマイクロホン機構を配置し、これらマイクロホン機構を前記フロントキャビネット内に組付ける。【解決手段】  ビデオカメラ１は、カメラ本体部２と、カメラ本体部２の前面側に設けられたフロントキャビネット３と、カメラ本体部２の上面２ａ側に設けられたビューファインダー４と、カメラ本体部２の第１の側面２ｂに設けられたグリップベルト５と、カメラ本体部２に設けられたフラッシュ機構８を備えている。前記フロントキャビネット３内に、フラッシュ機構８を挟んで左右両側部にマイクロホン機構９が組み込まれている。【選択図】  図３
2006295272.tif 000002
【特許請求の範囲】
【請求項１】
カメラ本体部と、該カメラ本体部の前面側に設けられたフロントキャビネットと、前記カメラ本体部の上面側に設けられたビューファインダーと、前記カメラ本体部の第１の側面に設けられたグリップベルトと、を備え、
前記フロントキャビネットは、フラッシュ機構を挟んで左右両側部にマイクロホン機構を内蔵していることを特徴とする撮像装置。
【請求項２】
前記マイクロホン機構は、複数のマイク本体部を備えていることを特徴とする請求項１に記載の撮像装置。
【請求項３】
前記複数のマイク本体部は、前記フロントキャビネットの前後方向に所定の間隔をもって配置されていることを特徴とする請求項２に記載の撮像装置。
【請求項４】
前記マイクロホン機構は、前記マイク本体部と、該マイク本体部を保持する弾性材で形成されたダンパーと、該ダンパーをダンパー取付孔内に取付けたダンパー支持プレートと、を備え、
前記ダンパー支持プレートは、前記ダンパーを前記フロントキャビネットのマイク取付部に設けたマイク受孔に臨ませた状態で前記フロントキャビネットの内面に取付けられていることを特徴とする請求項１に記載の撮像装置。
【請求項５】
前記ダンパー支持プレートは、前記フロントキャビネットの内面に取付ける際に該フロントキャビネットの内面に設けた位置決め部に係合して該ダンパー支持プレートの前記フロントキャビネットの内面に対する位置決めを行う被位置決め部を備えていることを特徴とする請求項１に記載の撮像装置。
【請求項６】
前記ダンパーは、前記マイク本体部を挿入保持した内筒部と、該内筒部の一端を折り返した状態に形成された外筒部と、該外筒部の一端部にに設けられたフランジ部と、を備え、
前記フランジ部は、外周面に環状の凹溝を備え、該環状の凹溝内に前記ダンパー支持プレートのマイク受孔の周縁部を嵌合することにより前記ダンパー支持プレートに取付けられていることを特徴とする請求項１に記載の撮像装置。
【発明の詳細な説明】
【技術分野】
【０００１】
本発明は、ビデオカメラ等の撮像装置に関し、特に撮像装置のフロントキャビネットに設けたフラッシュ機構を挟んでその左右両側部にマイクロホン機構を配置することにより、より立体的に音声の収録を行うことができるようにしたものである。
【背景技術】
【０００２】
ビデオカメラとして、図１７に示すように、ビデオカメラのフロントキャビネット１０１の前面側にマイク本体部１０２を組付けるための凹部１０３を設け、該凹部１０３内に一対のマイク本体部１０２を横方向に並べて組付けたものが知られている。なお、前記マイク本体部１０２の外周部には重りリング１０４が取付けられる。前記重りリング１０４を外周部に取付けたマイク本体部１０２は、エラストマー等のゴム材からなるダンパー１０５に取付けられる。
【０００３】
前記ダンパー１０５は、内筒部１０６と、該内筒部１０６の一端部を折り返した状態に形成された外筒部１０７と、該外筒部１０７の端部に設けられたフランジ部１０８と、を備えている。そして、前記内筒部１０６内に前記重りリング１０４を外周部に取付けたマイク本体部１０２が収容されている。前記マイク本体部１０２を収容したダンパー１０５の外筒部１０７は、マイク保持体１０９の収納孔１１０内に収納される。そして、前記収納孔１１０内に前記ダンパー１０５を収容したマイク保持体１０９を、図１８に示すように、前記ビデオカメラのフロントキャビネット１０１の凹部１０３内に挿入し、前記マイク保持体１０９の収納孔１１０の周縁部１１１と前記ビデオカメラのフロントキャビネット１０１の凹部１０３の底面１１２との間で前記フランジ部１０８を挟着することにより、前記凹部１０３内に前記ダンパー１０５を介してマイク本体部１０２を取付ける構成になっている。（例えば特許文献１）
【特許文献１】特開平１０−２９４９８１号公報
【発明の開示】
【発明が解決しようとする課題】
【０００４】
上記従来のビデオカメラには、次に述べるような問題点があった。
（１）前述したように、ビデオカメラのフロントキャビネット１０１の前面側にマイクロホン機構を組付けるための凹部１０２を設け、該凹部１０２内に一対のマイクロホン機構１０３を組付ける構成になっているため、ビデオカメラのフロントキャビネット１０１の前面にマイクロホン機構１０３を組付けるためのスペースを多く割かれてしまう。
（２）一対のマイクロホン機構１０３が前記凹部１０２内に横方向に並べて組付けられているため、前方からの音声を捕捉するのには有効であるが、音声に奥行感を持たせることが難しい。
【０００５】
本発明の目的は、上記従来のビデオカメラのようにビデオカメラのフロントキャビネットの前面側にマイクロホン機構を組付けるための凹部を設ける必要を無くすとともに、フロントキャビネットの両側部において音声を立体的に捕捉することのできるビデオカメラを提供することにある。
【課題を解決するための手段】
【０００６】
本発明は、カメラ本体部と、該カメラ本体部の前面側に設けられたフロントキャビネットと、前記カメラ本体部の上面側に設けられたビューファインダーと、前記カメラ本体部の第１の側面に設けられたグリップベルトと、を備えた撮像装置において、前記フロントキャビネット内に、フラッシュ機構を挟んで左右両側部にマイクロホン機構を組付けた。前記フラッシュ機構を挟んで左右両側部に配置されたマイクロホン機構に複数のマイク本体部を設けた。また、前記複数のマイク本体部を、前記フロントキャビネットの前後方向に所定の間隔をもって配置した。
【０００７】
前記マイクロホン機構を、前記マイク本体部と、該マイク本体部を保持する弾性材で形成されたダンパーと、該ダンパーをダンパー取付孔内に取付けたダンパー支持プレートと、で構成し、前記ダンパー支持プレートを、前記ダンパーを前記フロントキャビネットのマイク取付部に設けたマイク受孔に臨ませた状態で前記フロントキャビネットの内面に取付けた。前記ダンパー支持プレートに、前記フロントキャビネットの内面に取付ける際に該フロントキャビネットの内面に設けた位置決め部に係合して該ダンパー支持プレートの前記フロントキャビネットの内面に対する位置決めを行う被位置決め部を設けた。
【０００８】
前記ダンパーに、前記マイク本体部を挿入保持した内筒部と、該内筒部の一端を折り返した状態に形成された外筒部と、該外筒部の一端部に設けられたフランジ部と、を設けると共に、前記フランジ部の外周面に環状の凹溝を設け、該環状の凹溝内に前記ダンパー支持プレートのマイク受孔の周縁部を嵌合することにより前記ダンパー支持プレートに取付けた。
【発明の効果】
【０００９】
フラッシュ機構を挟んで左右両側部に配置されたマイクロホン機構により立体的に音声を収録することができる。特に、前記フラッシュ機構を挟んで左右両側部に配置されたマイクロホン機構に複数のマイク本体部を設けたので、マイク本体部の数は少なくとも４個以上になり、これらのマイク本体部でより立体的に音声を収録することができる。また、前記複数のマイク本体部を、前記フロントキャビネットの前後方向に所定の間隔をもって配置したので、前記フロントキャビネットの前後方向からくる音声に対して立体感を持たせることができる。
【００１０】
前記ダンパーをダンパー支持プレートのダンパー取付孔内に取付ける構成にしたので、前記ダンパー支持プレートを介してダンパーを前記フロントキャビネットのマイク取付部に設けたマイク受孔に臨ませた状態で前記フロントキャビネット内に容易に取付けることができる。特に、前記フロントキャビネットの内面に取付ける際に、前記ダンパー支持プレートに設けた被位置決め部を、前記フロントキャビネットの内面に設けた位置決め部に係合させることにより、前記ダンパー支持プレートの前記フロントキャビネットに対する位置決めを行うことができる。前記ダンパーのフランジ部に設けた環状の凹溝内に前記ダンパー支持プレートのマイク受孔の周縁部を嵌合することにより前記ダンパーを前記ダンパー支持プレートに容易に取付けることができる。
【発明を実施するための最良の形態】
【００１１】
以下、本発明の撮像装置を、（１）撮像装置の概略構成、（２）マイクロホン機構の構成、（３）把持部（指先当接部）の構成、（４）作用、（５）他の実施例、の順に説明する。
（１）撮像装置の概略構成、
図１〜図３は撮像装置の一例としてのビデオカメラ１を示し、図１はビデオカメラ１をグリップベルト側から見た斜視図、図２はビデオカメラ１をモニター側から見た斜視図、図３はビューファインダー及びモニターの使用状態にした斜視図である。ビデオカメラ１は、カメラ本体部２と、該カメラ本体部２の前面側に設けられたフロントキャビネット３と、前記カメラ本体部２の上面２ａ側に設けられたビューファインダー４と、前記カメラ本体部２の第１の側面２ｂに設けられたグリップベルト５と、前記カメラ本体部２の前記第１の側面２ｂと対向する第２の側面２ｃに設けられたモニター６と、前記カメラ本体部２の後端面２ｄに着脱自在に取り付けられるバッテリーボクッス７と、を備えている。前記フロントキャビネット３の上部には格納式のフラッシュ８が設けられ、該フラッシュ８の両側部には一対のマイクロホン機構９、９が設けられている。前記フロントキャビネット３の先端部にはレンズフード１０が取外可能に取付けられている。また、前記カメラ本体部２の前記第１の側面２ｂにはメモリーカード１１を挿入するメモリーカード挿入口１２が設けられている。
【００１２】
前記カメラ本体部２の上面２ａには前記カメラ本体部２を把持したときに、指先が当たる把持部１３が設けられている。
【００１３】
そして、図４に示すように、親指１１１ｅをグリップベルト５の外に出した状態で人差し指１１１ａ、中指１１１ｂ、薬指１１１ｃ、小指１１１ｄを前記カメラ本体部２の第１の側面２ｂとグリップベルト５との間に差し込んで、前記中指１１１ｂ、薬指１１１ｃ、小指１１１ｄの指先で、前記カメラ本体部２の上面２ａに設けた把持部１３を押さえて前記カメラ本体部２を把持すると共に、前記グリップベルト５の外に出している親指１１１ｅで前記カメラ本体部２の後面２ｄ側に設けた電源釦１４や動画撮影用のスタートストップ釦１５等を操作し、人差し指１１１ａで前記カメラ本体部２の上面２ａに設けた静止画撮影用のスタートストップ釦１６やズーム釦１７等を操作可能になっている。
（２）マイクロホン機構の構成、
図３に示すように、前記マイクロホン機構９は、前記フロントキャビネット３の上部に設けたポップアップ式のフラッシュ機構８の両側部に配置されている。
【００１４】
図７に示すように、前記マイクロホン機構９は、第１,第２のマイク本体部２１,２２を備えている。前記第１,第２のマイク本体部２１,２２は、前記フロントキャビネット３の前後方向ａ，ｂに所定の間隔をもって配置されている。
【００１５】
図８に示すように、前記マイクロホン機構９は、前記第１,第２のマイク本体部２１,２２と、これら第１,第２のマイク本体部２１,２２を収納するゴム等の弾性材で形成された第１,第２のダンパー２３,２４と、これら第１,第２のダンパー２３,２４を第１,第２のダンパー取付孔２５，２６に取付けるダンパー支持プレート２７と、を備えている。
【００１６】
前記ダンパー支持プレート２７は、前記第１のダンパー取付孔２５に取り付けた第１のダンパー２３を前記フロントキャビネット３のマイク取付部２８に設けた第１のマイク受孔２９に臨ませ、前記第２のダンパー取付孔２６に取り付けた第２のダンパー２４を前記マイク取付部２８に設けた第２のマイク受孔３０に臨ませた状態で前記フロントキャビネット３の内面に取付けられる。
【００１７】
図９に示すように、前記ダンパー支持プレート２７は、前記フロントキャビネット３の内面に取付ける際に該フロントキャビネット３の内面に設けた位置決め部３１に係合して該ダンパー支持プレート２７の前記フロントキャビネット３の内面に対する位置決めを行う第１の被位置決め部３２を一側部に備え、他側部に前記フロントキャビネット３の内面に設けた円柱状のボス部３３の周面に係合する円弧面状の第２の被位置決め部３４（図８参照）を備えている。
【００１８】
図１０、図１１に示すように、前記第１のダンパー２３は、前記第１のマイク本体部２１を収納する内筒部４１と、該内筒部４１の一端を折り返した状態に形成された外筒部４２と、該外筒部４２の一端部に設けられたフランジ部４３と、を備えている。前記フランジ部４３は、外周面に環状の凹溝４４を備えている。
【００１９】
前記第１のダンパー２３は、環状の凹溝４４内に前記ダンパー支持プレート２７の第１のダンパー取付孔２５の周縁部を嵌合することにより前記ダンパー支持プレート２７に取付けられている。前記第２のダンパー２４も前記第１のダンパー２３と同様に形成されていて、前記ダンパー支持プレート２７の第２のダンパー取付孔２６に取り付けられている。
【００２０】
前記第１,第２のダンパー２３,２４の内筒部４１は、前記フロントキャビネット３の前後方向ａ，ｂに長い長円形状に形成されていて、これらダンパー２３,２４の内筒部４１は、直列方向に配置されている。
【００２１】
前記第１のダンパー２３の内筒部４１の上面４５には前記マイク本体部２１の外径よりも小径の孔部４６が設けられていると共に、前記内筒部４１内には、前記第１のマイク本体部２１を挿入保持する円筒状のマイク本体収納部４７が設けられている。前記マイク本体収納部４７の下面４８には切欠部４９が形成されていて、該切欠部４９を押し広げることにより前記マイク本体収納部４７内に前記マイク本体部２１が収納される。そして、前記第１のマイク本体部２１の上面が前記孔部４６を介して外部に臨むと共に、前記第１のマイク本体部２１に接続されたリード線５０は、前記切欠部４９を介して前記内筒部４１の外部に引き出される。
【００２２】
前記第２のダンパー２４の内筒部４１も前記第１のダンパー２３の内筒部４１と同様に形成されていて、前記第２のマイク本体部２２の上面が前記孔部４６を介して外部に臨むようになっていると共に、前記第２のマイク本体部２２に接続されたリード線５１は、前記切欠部４９を介して前記内筒部４１の外部に引き出されている。なお、前記第１,第２のダンパー２３,２４の内筒部４１の下部には蓋板取付部５２が設けられていて、該蓋板取付部５２に取り付けた蓋板５３によって、前記切欠部４９が閉塞される。
【００２３】
図１０に示すように、第１のダンパー２３は、前記ダンパー支持プレート２７の第１のダンパー取付孔２５に取り付けられ、第２のダンパー２４は、前記ダンパー支持プレート２７の第２のダンパー取付孔２６に取り付けられる。
【００２４】
前記ダンパー支持プレート２７は、前記第１のダンパー取付孔２５に取り付けた第１のダンパー２３を前記フロントキャビネット３のマイク取付部２８に設けた第１のマイク受孔２９に臨ませ、前記第２のダンパー取付孔２６に取り付けた第２のダンパー２４を前記マイク取付部２８に設けた第２のマイク受孔３０に臨ませる。そして、図９に示すように、前記ダンパー支持プレート２７に設けた第１の被位置決め部３２を前記フロントキャビネット３に設けた位置決め部３１に係合すると共に、前記ダンパー支持プレート２７の一側部に設けた円弧面状の第１の被位置決め部３４（図８参照）を前記フロントキャビネット３の内面に円柱状のボス部３３の周面に係合させることにより前記フロントキャビネット３のマイク取付部２８の内面に位置決めした状態で取付けられる。そして、前記ダンパー支持プレート２７は、その背面側をカバープレート５４で覆われる。
【００２５】
図９に示すように、前記カバープレート５４は、一側部に舌片状の第１の固定部３５を備え、他側部にボス状の第２の固定部３６を備えている。前記カバープレート５４は、第１の固定部３４を前記フロントキャビネット３に設けた位置決め部３１に係合することにより前記ダンパー支持プレート２７に設けた第１の被位置決め部３２を前記フロントキャビネット３に内面に押し付けた状態で固定される。また、前記ボス状の第２の固定部３６は、前記フロントキャビネット３の内面に設けた円柱状のボス部３３の先端部に重ね合わせた状態でビス３７により固定される。そして、図１２に示すように、前記第１,第２のダンパー２３,２４のフランジ部４３を前記カバープレート５４の周縁部５４ａで前記ダンパー支持プレート２７に押し付けてダンパー支持プレート２７に設けた前記第１，第２のダンパー取付孔２５,２６を封止し、前記第１,第２のダンパー２３,２４から外部に漏れて、前記本体部内のモータ音等が第１,第２のマイク本体部２１,２２に拾われるのを防止している。前記フロントキャビネット３のマイク取付部２８の外面にはグリルユニット６１が組み付けられている。
【００２６】
図８、図９に示すように、前記グリルユニット６１は、無数の小孔を設けた金属または合成樹脂製のマイクグリル６２と、該マイクグリル６２の下面に重ね合わされる不織布製のフィルターシート６３と、前記マイクグリル６２とフィルターシート６３を支持する合成樹脂製のベースプレート６４と、を備えている。
【００２７】
前記マイクグリル６２は、複数の係合突起６５を備えていて、前記フィルターシート６３を前記ベースプレート６４の間で挟んだ状態で前記複数の係合突起６５を前記ベースプレート６４に設けた突起係合部６６に係合させることにより、前記ベースプレート６４の表面に組み付けられる。
【００２８】
前記ベースプレート６４は、係合突起６７を備えていて、該係合突起６７を前記フロントキャビネット３に設けた突起係合部６８に係合させることにより、前記フロントキャビネット３のマイク取付部２８に組み付けられる。
（３）把持部（指先当接部）の構成、
図１に示すように、前記把持部１３は、前記カメラ本体部２の上面２ａに前面側（フロントキャビネット３側）から後面２ｄ側に向かって光軸方向に帯状に伸びるように形成されている。そして、前述したように、前記カメラ本体部２をグリップしたときに前記中指１１１ｂ、薬指１１１ｃ、小指１１１ｄの指先が当たるようになっている。
【００２９】
図５に示すように、前記把持部１３の上面は、前記カメラ本体部２の前面側から後面側に向かって上り勾配になる傾斜面１３ａになっている。前記傾斜面１３ａは、傾斜角度の小さい第１の傾斜面部１３ｂと、該第１の傾斜面部１３ｂよりも傾斜角度の大きな第２の傾斜面部１３ｃを備えていて、前記第１の傾斜面部１３ｂに小指１１１ｄの指先が当たり、第２の傾斜面部１３ｃに人差し指１１１ａ、中指１１１ｂ、薬指１１１ｃの指先が当たるようになっている。
【００３０】
前記把持部１３の傾斜角度は、図１５に示したように、前記カメラ本体部２を把持するべく前記人差し指１１１ａ、中指１１１ｂ、薬指１１１ｃ、小指１１１ｄを折り曲げた場合のこれら人差し指１１１ａ、中指１１１ｂ、薬指１１１ｃ、小指１１１ｄの指先の高低差により発生する傾斜角度に見合うように形成されている。
【００３１】
また、図６に示すように、前記把持部１３の上面１３ａは、前記カメラ本体部２の第１の側面２ｂの端部から該第１の側面２ｂに対向する第２の側面２ｃの端部までの間が略円弧状の凹面に形成されていて、前記人差し指１１１ａ、中指１１１ｂ、薬指１１１ｃ、小指１１１ｄの指先を前記把持部１３の上面１３ａに当てたときに、前記人差し指１１１ａ、中指１１１ｂ、薬指１１１ｃ、小指１１１ｄの指先を前記把持部１３の上面１３ａにフィットさせて、前記指先で前記把持部１３を確実に押すことが可能になる。また、前記把持部１３の上面１３ａは、粗面にする等の方法により滑り止め処理が施されていて、前記把持部１３の上面１３ａを押した際に指先が滑るのを防止している。前記把持部１３は、前記カメラ本体部２と別個（別体）に形成されていてカメラ本体部２に取付ける構成になっている。
【００３２】
前記カメラ本体部２の上面２ａの前記把持部１３を設けた部分の近傍は、前記把持部１３の傾斜角度と略同じ傾斜角度の傾斜面２ｆに形成されている。前記傾斜面２ｆの上端側に前記ビューファインダー４が配置されている。前記ビューファインダー４は、チルト機構（図示省略）により前記カメラ本体部２の上面２ａに対して傾斜角度を調整可能に取付けられている。
【００３３】
前記ビューファインダー４は、前記カメラ本体部２の上面２ａ側に倒したときの最小傾斜角度が前記カメラ本体部２の上面２ａおよび前記把持部１３の長さ方向（光軸方向）の傾斜角度と略等しい値に設定されている。そして、前記ビューファインダー４をカメラ本体部２の上面２ａ側に倒し、前記ビューファインダー４を最小傾斜角度にしたときに，図１、図２に示すように、前記ビューファインダー４と前記カメラ本体部２の上面２ａおよび前記把持部１３が略同じ傾斜角度で連続して、前記把持部１３が存在することによる違和感を無くして、外観的にも優れたものにしている。前記ビューファインダー４は、前記カメラ本体部２の上面２ａ側に倒した最小傾斜角度の状態から、図３に示す前記カメラ本体部２の上面２ａに対して略直角に起立させた最大傾斜角度の範囲内で所望の傾斜角度にして使用可能になっている。
（４）作用、
実施例の撮像装置は、上述のような構成であって、図１３に示すように、グリップベルト５と前記カメラ本体部２の一側面２ｂとグリップベルト５との間に人差し指１１１ａ、中指１１１ｂ、薬指１１１ｃ、小指１１１ｄの４本の指を差し込んで、これらの指先で前記傾斜状の把持部１３を押さえる。一方、前記グリップベルト５の外部に出している親指１１１ｅの付け根部分で前記カメラ本体部２の後端の下端部を支持する。前記人差し指１１１ａ、中指１１１ｂ、薬指１１１ｃ、小指１１１ｄ等の指先で前記把持部１３を押さえたときに掛かる力Ｆ１の方向と、前記親指の付け根部分によって前記カメラ本体部２の後端の下端部に掛かる力Ｆ２の方向が略対向方向になるので、従来の前記カメラ本体部のフラットな上面を押さえていた場合のように、カメラ本体部に回転方向（倒れ方向）の力Ｆ３が発生せず、従って、カメラ本体部２を安定した状態で把持することが可能になる。特に、ビューファインダー４のアイカップ４ａに目を当てた状態で撮影すると、目によって押される力Ｆ４によってより安定した状態でカメラ本体部２を把持することが可能になる。
【００３４】
人差し指１１１ａをフリーな状態にしておくことにより、人差し指１１１ａで前記カメラ本体部２の上面２ａに設けた静止画撮影用のスタートストップ釦１６やズーム釦１７の操作が可能になる。また、前記グリップベルト５の外部に出している親指１１１ｅで前記カメラ本体部２の後面２ｄ側に設けた電源釦１４や動画撮影用のスタートストップ釦１５等の操作が可能になる。
【００３５】
そして、撮影時における録音は、前記フロントキャビネット３の上部に設けたポップアップ式のフラッシュ機構８の両側部に配置されているマイクロホン機構９のそれぞれ第１,第２のマイク本体部２１,２２、即ち合計４個のマイク本体部２１,２２で行われる。
【００３６】
これらマイク本体部２１,２２は、第１,第２のダンパー２３,２４を介してフロントキャビネット３に取付けられているので、前記フロントキャビネット３側からの振動から保護される。また、図１２に示すように、前記第１,第２のダンパー２３,２４のフランジ部４３を前記カバープレート５４の周縁部５４ａで前記ダンパー支持プレート２７に押し付けて、前記第１，第２のダンパー取付孔２５,２６の周縁部を密封している。従って、カメラ本体部２やフロントキャビネット３内に組み込まれているモーター等が発する騒音が前記ダンパー取付孔２５,２６からフロントキャビネット３外に漏れて前記第１,第２のマイク本体部２１,２２に拾われるのを防止することができる。
（５）他の実施例、
上記実施例においては、前記第１,第２のダンパー２３,２４の内筒部４１は、前記フロントキャビネット３の前後方向ａ，ｂに長い長円形状に形成し、これらダンパー２３,２４の内筒部４１を、直列方向に配置すると共に、前記第１のマイク本体部２１と前記第２のマイク本体部２２を、前記第１のダンパー２３と前記第２のダンパー２４の直列方向に配置された長円形状の内筒部４１の端部（離れる方向の端部）に取付ける構成にしたが、これは前記第１のマイク本体部２１と前記第２のマイク本体部２２の前記フロントキャビネット３の前後方向ａ，ｂの間隔を大きく取るためであって、図１４に示すように、前記第１,第２のマイク本体部２１，２２を前記第１,第２のダンパー２３,２４の内筒部４１の中央部に取付けてもよい。また、図１５に示すように、前記フロントキャビネット３の前後方向ａ，ｂ方向に対して、前記第１,第２のダンパー２３,２４の内筒部４１の長さ方向を直交する方向に設けてもよい。また、図１６に示すように、前記内筒部４１の一部に切欠部４１aを設けてもよい。前記切欠部４１aを設けることによりダンパーを成形する際に、所謂ヒケ等による前記内筒部４１の変形や歪等を抑制することができる。なお、上記実施例では、電子機器の安全性を確保するための規格上、前記第１のダンパー２３,と第２のダンパー２４を別体に形成した場合を示したが、ダンパーの大きさ等によっては、前記第１のダンパー２３,と第２のダンパー２４を一体に形成してもよい。また、撮像装置としてデジタルビデオカメラを例にとって説明したが撮像装置はスチルカメラ、その他のカメラであってもよい。
【図面の簡単な説明】
【００３７】
【図１】第１の実施の形態のビデオカメラをグリップベルト側から見た斜視図。
【図２】ビデオカメラをモニター側から見た斜視図。
【図３】ビューファインダー及びモニターの使用状態にした斜視図。
【図４】ビデオカメラを把持している状態の斜視図。
【図５】ビデオカメラの要部の斜視図。
【図６】図５のＡ−Ａ断面図。
【図７】フロントキャビネットに第１、第２のマイク本体部を取付けた状態の斜視図。
【図８】マイクロホン機構の分解斜視図。
【図９】マイクロホン機構の分解斜視図。
【図１０】ダンパーの断面図。
【図１１】ダンパーの断面図。
【図１２】フロントキャビネットに取付けられたマイクロホン機構の断面図。
【図１３】ビデオカメラを使用して撮影している状態の側面図。
【図１４】ダンパーの他の実施例の平面図。
【図１５】ダンパーの他の実施例の平面図。
【図１６】ダンパーの他の実施例の斜視図。
【図１７】従来例の斜視図。
【図１８】従来例の断面図。
【符号の説明】
【００３８】
１…ビデオカメラ、２…カメラ本体部、２ａ…上面、２ｂ…第１の側面、３…フロントキャビネット、４…ビューファインダー、５…グリップベルト、８…フラッシュ機構、９…マイクロホン機構、１３…把持部（指先当接部）、２１,２２…第１,第２のマイク本体部、２３,２４…第１,第２のダンパー、２５,２６…第１,第２のダンパー取付孔、２７…ダンパー支持プレート、２８…マイク取付部、２９,３０…第１,第２のマイク受孔、３１…位置決め部、３２……被位置決め部。
【図１】
2006295272.tif 000003
【図２】
2006295272.tif 000004
【図３】
2006295272.tif 000005
【図４】
2006295272.tif 000006
【図５】
2006295272.tif 000007
【図６】
2006295272.tif 000008
【図７】
2006295272.tif 000009
【図８】
2006295272.tif 000010
【図９】
2006295272.tif 000011
【図１０】
2006295272.tif 000012
【図１１】
2006295272.tif 000013
【図１２】
2006295272.tif 000014
【図１３】
2006295272.tif 000015
【図１４】
2006295272.tif 000016
【図１５】
2006295272.tif 000017
【図１６】
2006295272.tif 000018
【図１７】
2006295272.tif 000019
【図１８】
2006295272.tif 000020